(57)【要約】【課題】データの入力の手間を省いて簡単に操作できる健康管理指針アドバイス装置を提供する。【解決手段】手で保持するための保持部に身体インピーダンスを計測するための電極を備えた電極担持体と、被検者がその上に載って体重を計測するための被荷重部を備えた被荷重部担持体とを有し、少なくとも前記被荷重部を用いて計測された体重値を含む身体特定化情報と前記電極を用いて計測されたインピーダンス値とに基づいて健康管理に有益な指針情報を提供する健康管理指針アドバイス装置において、別体に設けられた前記電極担持体と前記被荷重部担持体のいずれか一方と一体に他方を収納する収納手段を設け、前記被荷重部担持体と前記電極担持体との間で情報を伝送する無線通信手段とを備える。【選択図】図２１
2006198419.tif 000002
【特許請求の範囲】
【請求項１】
手で保持するための保持部に身体インピーダンスを計測するための電極を備えた電極担持体と、
被検者がその上に載って体重を計測するための被荷重部を備えた被荷重部担持体とを有し、
少なくとも前記被荷重部を用いて計測された体重値を含む身体特定化情報と前記電極を用いて計測されたインピーダンス値とに基づいて健康管理に有益な指針情報を提供する健康管理指針アドバイス装置において、
別体に設けられた前記電極担持体と前記被荷重部担持体のいずれか一方と一体に他方を収納する収納手段を設け、
前記被荷重部担持体と前記電極担持体との間で情報を伝送する無線通信手段とを備えたことを特徴とする健康管理指針アドバイス装置。
【請求項２】
手で保持するための保持部に身体インピーダンスを計測するための電極を備えた電極担持体と、
被検者がその上に載って体重を計測するための被荷重部を備えた被荷重部担持体とを有し、
少なくとも前記被荷重部を用いて計測された体重値を含む身体特定化情報と前記電極を用いて計測されたインピーダンス値とに基づいて健康管理に有益な指針情報を提供する健康管理指針アドバイス装置において、
別体に設けられた前記電極担持体と前記被荷重部担持体のいずれか一方と一体に他方を収納する収納手段を設け、
前記被荷重部担持体に前記電極と収納時に接触可能な接触部を設け、
前記電極と前記接触部との間で電気信号を出入力することにより情報を伝達する情報伝達手段を備えたことを特徴とする健康管理指針アドバイス装置。
【発明の詳細な説明】
【技術分野】
【０００１】
本発明は、被検者の体重，身長等の身体特定化情報と身体インピーダンス計測情報より、体脂肪率，体脂肪量等の健康管理に有益な指針情報を提供する健康管理指針アドバイス装置に関する。
【背景技術】
【０００２】
従来このような健康管理指針アドバイス装置としては、特公平５−４９０５０号に記載されているような家庭用体重計に体脂肪率計測用の電極２０１ａ〜２０１ｄを配置固定した体脂肪計２０１がある（図３８）。これは、体重計に載ることによって得られる体重値と、予め入力された個人データ（身長，年令，性別）及び身体内部インピーダンス計測値から体脂肪率を推定するものである。
【０００３】
また、図３９のように両手で身体内部インピーダンス計測用の電極２０２ａ〜２０２ｄが設けられたグリップ部２０３，２０４を握り、予め入力された個人データ（身長，体重，年令，性別）と前記インピーダンス計測値とから体脂肪率等を推定し、表示するものもある。
【特許文献１】特公平５−４９０５０号公報
【発明の開示】
【発明が解決しようとする課題】
【０００４】
しかしながら、体重計一体型の体脂肪計では、体脂肪率を計測するに際して、いちいち素足にならなければならず煩わしい。また、体重計と一体化しているため機器本体が重く、風呂場等の設置場所でしか体脂肪率を計測することができず、携帯性に欠ける。さらに、体重を入力する必要はないが、身長については別途キースイッチ等により手動入力しなければならず、煩わしい。
【０００５】
一方、グリップ部を握るタイプの体脂肪計は、素足になる等の準備を必要とせずグリップ部を握るという簡単な動作で計測できるが、体重，身長情報については別途計測し、キースイッチ等により手動入力しなければならず、同様の煩わしさがあった。
【０００６】
また、このような体脂肪計は、安定的な接地面や被検者が載るスペースを確保する必要がないので、小型化して携帯することもできるが、自由に動かせるために毎回同じ計測姿勢をとって計測精度を確保することが実際には難しい。
【０００７】
また、いずれの体脂肪計においても、身長の場合は、特に、計る機会の乏しい人もあり、情報を入力する際に記憶に頼って不正確な値を入力することがあり、必ずしも正確な値を用いているわけではなかった。
【０００８】
本発明は、かかる従来技術の課題を解決するためになされたものであって、その目的とするところは、データの入力の手間を省いて簡単に操作できる健康管理指針アドバイス装置を提供することにある。
【課題を解決するための手段】
【０００９】
第１の発明は、手で保持するための保持部に身体インピーダンスを計測するための電極を備えた電極担持体と、被検者がその上に載って体重を計測するための被荷重部を備えた被荷重部担持体とを有し、少なくとも前記被荷重部を用いて計測された体重値を含む身体特定化情報と前記電極を用いて計測されたインピーダンス値とに基づいて健康管理に有益
な指針情報を提供する健康管理指針アドバイス装置において、別体に設けられた前記電極担持体と前記被荷重部担持体のいずれか一方と一体に他方を収納する収納手段を設け、前記被荷重部担持体と前記電極担持体との間で情報を伝送する無線通信手段とを備えたことを特徴とする。
【００１０】
このようにすれば、電極担持体及び被荷重部担持体のいずれか一方を他方にコンパクトに収納できる。また、体重計測値を無線通信手段で伝送することにより、体重計測値を手動で入力する手間を省くことができ、正確な体重計測値を用いてより高精度な指針情報を簡単な操作で得ることができる。さらに、健康管理指針情報を算出するための情報処理手段等を電極担持体側に設けて携帯可能とすることにより、体重計測と身体インピーダンス計測の機会を時間的にも場所的にも分離することができるので、使用方法の自由度が増大する。
【００１１】
第２の発明は、手で保持するための保持部に身体インピーダンスを計測するための電極を備えた電極担持体と、被検者がその上に載って体重を計測するための被荷重部を備えた被荷重部担持体とを有し、少なくとも前記被荷重部を用いて計測された体重値を含む身体特定化情報と前記電極を用いて計測されたインピーダンス値とに基づいて健康管理に有益な指針情報を提供する健康管理指針アドバイス装置において、別体に設けられた前記電極担持体と前記被荷重部担持体のいずれか一方と一体に他方を収納する収納手段を設け、前記被荷重部担持体に前記電極と収納時に接触可能な接触部を設け、前記電極と前記接触部との間で電気信号を出入力することにより情報を伝達する情報伝達手段を備えたことを特徴とする。
【００１２】
このようにすれば、電極担持体及び被荷重部担持体のいずれか一方を他方にコンパクトに収納できる。また、身体インピーダンス計測のための電極を用いて情報伝達を行うので、通信用のセンサやコネクタのような無線又は有線通信手段を別途設ける必要がなく、装置を簡略化できる。また、体重計測値を情報伝達手段で伝達することにより、体重計測値を手動で入力する手間を省くことができ、正確な体重計測値を用いてより高精度な指針情報を簡単な操作で得ることができる。さらに、健康管理指針情報を算出するための情報処理手段等を電極担持体側に設けて携帯可能とすることにより、体重計測と身体インピーダンス計測の機会を時間的にも場所的にも分離することができるので、使用方法の自由度が増大する。
【００１３】
本発明において、体重計測値，身長計測値を記憶する手段を設ければ、体重計測，身長計測を身体インピーダンス計測と別の機会に行うことができるので、入浴前後等の特定の機会に体重及び身長の少なくともいずれか一方を計測しておき、別の適当な機会を選んで身体インピーダンスを計測して健康管理指針情報を得る等の使用が可能となり、使用方法の自由度が増大する。
【００１４】
電極担持体と被荷重部担持体とは一体に設けてもよいし、別体としてもよい。別体とした場合でも、電極担持体と被荷重部担持体との間の情報伝達は、ケーブル等の有線通信手段や光，音波，電波等による無線通信手段によって行うことができる。
【００１５】
身体特定化情報とは、健康管理指針情報の取得に用いられる被検者の身体的特徴を記述する指標であり、体重，身長の他に、年令，性別等があるが、これらに限られない。
【００１６】
身体インピーダンス計測値に基づいて提供できる指針情報としては、体脂肪率，体脂肪量，肥満度，除脂肪量，水分量，基礎代謝量等があるが、これらに限られない。
【発明の効果】
【００１７】
第１の発明によれば、電極担持体及び被荷重部担持体のいずれか一方を他方にコンパクトに収納できる。また、体重計測値を無線通信手段で伝送することにより、体重計測値を手動で入力する手間を省くことができ、正確な体重計測値を用いてより高精度な指針情報を簡単な操作で得ることができる。さらに、健康管理指針情報を算出するための情報処理手段等を電極担持体側に設けて携帯可能とすることにより、体重計測と身体インピーダンス計測の機会を時間的のみならず場所的にも分離することができるので使用方法の自由度が増大する。
【００１８】
第２の発明によれば、電極担持体及び被荷重部担持体のいずれか一方を他方にコンパクトに収納できる。また、身体インピーダンス計測のための電極を用いて情報伝達を行うので、通信用のセンサやコネクタのような無線又は有線通信手段を別途設ける必要がなく、装置を簡略化できる。また、体重計測値を情報伝達手段で伝達することにより、体重計測値を手動で入力する手間を省くことができ、正確な体重計測値を用いてより高精度な指針情報を簡単な操作で得ることができる。さらに、健康管理指針情報を算出するための情報処理手段等を電極担持体側に設けて携帯可能とすることにより、体重計測と身体インピーダンス計測の機会を時間的にも場所的にも分離することができるので、使用方法の自由度が増大する。
【発明を実施するための最良の形態】
【００１９】
以下、本発明を図示の実施形態に基づいて説明する。
【００２０】
（基本形態）
本発明の第１の実施形態の説明に先立って、図１に基づいて本発明の実施形態の基本となる健康管理指針アドバイス装置である体脂肪計及び体重計について説明する。
【００２１】
まず、体脂肪計（電極担持体）１の概略構成について説明する。
【００２２】
略直方体形状の装置本体部２の上端及び下端から延びるブリッジ部３，４，５，６を介して略円柱形状の保持部としてのグリップ部７，８が設けられている。装置本体部２の前面２ａの上部には計測値や健康管理指針情報等の情報を表示する表示部９が設けられ、表示部９の下方にはＵＰボタン１０，ＤＯＷＮボタン１１，身長，体重，年令，性別からなる身体特定化情報の入力モード及び個人データ呼び出しモードを切換える設定スイッチ１２，電源スイッチ１３，測定スイッチ１４が設けられている。
【００２３】
グリップ部７，８には略円筒形状の電流印加用電極１５，１６及び電圧計測用電極１７，１８がそれぞれ設けられ、電流印加用電極１５，１６及び電圧計測用電極１７，１８の間には軸方向に凹状となる小径の絶縁部１９，２０が設けられている。
【００２４】
体脂肪計１の装置本体部２の下部には通信部２１が設けられている。通信部２１には後述の送信部ＴX３３及び受信部ＲX３４が配置されている。
【００２５】
図２は、体脂肪計１内部の回路構成の概略を示すブロック図である。
【００２６】
２３は所定周波数ｆ0電流を発生する高周波信号発生部、２４は電圧計測用電極１７，
１８，からの抵抗電位信号を受ける差動増幅器、２５は周波数ｆ0 以外の信号をカットするためのバンドパスフィルタ、２６は高周波信号成分を復調する復調回路、２７はアナログ信号をデジタル信号に変換するＡ／Ｄ変換器、２８は電池、１３は電源スイッチ、９は表示部、２９はＵＰボタン１０，ＤＯＷＮボタン１１，設定スイッチ１２からなる入力部、１４は計測スイッチ，３０は計測制御プログラム，演算プログラム，健康管理指針アドバイス情報を抽出するための変換テーブル等を格納したメモリ（ＲＯＭ）、３１はユーザ
ーが入力した身体特定化情報や計測値等を格納するメモリ（ＲＡＭ）、３２は所定のプログラムを実行して計測・演算を行い健康管理指針アドバイス情報を算出して表示部９に表示し、あるいは外部機器に出力するＣＰＵ３３は送信部ＴX ３４は受信部ＲX ３５は送信部３３及び受信部３４を制御する通信制御回路部である。
【００２７】
次に、体重計（被荷重部担持体）４１の概略構成について説明する。
【００２８】
体重計４１は、主として、床面に載置される基台部４２と、基台部４２上に設けられ被検者が体重計測のために載る被荷重部４３とからなる。被荷重部４３上には体重値等の情報を表示する表示部４４及び通信部４５が設けられている。通信部４５には、後述の送信部ＴX ５０及び受信部ＲX ５１が配置されている。また、図示されていないが、操作情報を入力するスイッチ部も設けられている。
【００２９】
図３は体重計４１の内部の回路構成の概略を示すブロック図である。
【００３０】
体重計４１は、ロードセル等からなるセンサ部４６、センサ部４６の出力信号を電気信号に変換するトランスデューサ４７、トランスデューサ４７から出力されるアナログ信号をデジタル信号に変換するＡ／Ｄ変換部４８、Ａ／Ｄ変換部４８から出力されるデジタル信号を所定のプログラムに基づいて演算処理して体重の計測値を算出するＣＰＵ（演算結果等のデータを格納するＲＡＭやプログラム等を格納したＲＯＭはＣＰＵに内蔵されている。）４９、体重の計測値を表示する表示部４４、体脂肪計１への信号の送信を行う送信部ＴX ５０、体脂肪計１からの信号を受信する受信部ＲX ５１、送信部ＴX ５０及び受信部ＲX ５１を制御して信号の送受信を行うとともにＣＰＵ４９からの出力信号の送信信号への変換及び受信部ＲX ５１に受信された信号のＣＰＵ４９への入力信号への変換を行う通信回路制御部５２、操作情報を入力するためのスイッチ部５３、電力を供給する電源部５４とからなる。送信部ＴX ３３，受信部ＲX ３４，通信制御回路部３５，受信部ＲX ５１、送信部ＴX ５０及び受信部ＲX ５１が無線通信手段を構成する。
【００３１】
本装置１による計測方法の概略を説明する。
【００３２】
被検者は電源スイッチ１３をＯＮして、設定スイッチ１２によって身長，年令，性別の各入力モードを選択し、ＵＰボタン１０，ＤＯＷＮボタン１１によって値を選択することによりこれらの身体特定化情報の入力を行う。予め、身体特定化情報がメモリされている場合には、設定スイッチでデータ呼び出しモードを選択し、ＵＰボタン１０，ＤＯＷＮボタン１１によってデータを特定するための個人番号を選択することによってデータを呼び出してもよい。
【００３３】
次に、装置１のグリップ部７，８を装置前面２ａ側から両手で握る（図４参照）。このとき、人差し指と親指との間の股部が電流印加用電極１５，１６に接触し、中指が絶縁部１９，２０に巻回され、薬指，小指の付け根と手首との間の掌部が電圧計測用電極１７，１８に接触する。
【００３４】
体重計４１の被荷重部４３上に両足を載せて直立し、グリップ部７，８を両手で握り、両腕をほぼ肩の高さで身体の前方にまっすぐ伸ばした状態で保持し（図５参照）、測定スイッチ１４をＯＮする。体重計４１から体重計測値が体脂肪計側に送信され、電流印加用電極１５，１６から印加された高周波電流によって生じる身体抵抗電位を電圧計測用電極１７，１８によって検出することにより身体インピーダンスを計測し、この計測値と先に入力された身体特定化情報と受信された体重計測値とに基づきＢＩＡ法によって体脂肪率，体脂肪量を算出して表示部９に表示する。体脂肪率，体脂肪量の算出方法はこのようなものに限られない。また、身体インピーダンス計測値を基礎として、除脂肪量，水分量，
基礎代謝量，肥満度等の健康管理指針情報を算出することができるが、これらに限られない。
【００３５】
上述の計測手順を体脂肪計における処理手順によって示したのが、図６のフローチャートである。
【００３６】
まず、電源スイッチをＯＮする（ステップ０）。
【００３７】
次に、性別，年令，身長値等の身体特定化情報を入力する（ステップ１）。
【００３８】
次に、タイマーの初期設定や各回路素子，表示素子のチェックを行う等の計測準備処理を行い（ステップ２）、計測スイッチがＯＮか否かを判定する（ステップ３）。Ｎｏであれば判定を繰り返し、Ｙｅｓであれば、数秒間のタイムディレー処理を行った（ステップ４）後に、計測を開始する旨を表示部に表示する等して報知する（ステップ５）。
【００３９】
次に、複数回の予備計測によりインピーダンス計測値が正常範囲内で安定しているかどうかを確認する（ステップ６，７）。異常あるいは不安定であれば、電極部との接触をしっかりとしてもらうように表示部等で報知し（ステップ８）、インピーダンス計測値が正常範囲内で安定するまでステップ６，７の確認を繰り返す。正常範囲内かつ安定していれば、計測処理を行う（ステップ９）。計測処理が終われば、計測結果（Ｚｈ）をメモリエリアへ記憶する（ステップ１０）。
【００４０】
次に、体重計に対して計測結果の送出を要求し（ステップ１１）、体重計側は計測結果情報の転送開始メッセージを送信するとともに送信を実行し（ステップ１２）、体脂肪計が転送データを受信し（ステップ１３）、体重計側の転送終了メッセージによりデータの受信処理を終了し（ステップ１４）、受信データを体重情報（Ｗ）としてメモリエリアへ記憶する（ステップ１５）。
【００４１】
次に、メモリエリアよりインピーダンス計測結果（Ｚｈ）及び体重情報（Ｗ）を読み出し（ステップ１６）、これらの情報から体脂肪率（％Ｆａｔ），体脂肪量（ＢＦＭ）等を推定式に代入して算出する（ステップ１７）。
【００４２】
次に、計測演算が終了した旨を表示部に表示する等して報知し（ステップ１８）、演算結果及びアドバイス結果を表示部に表示する（ステップ１９）。
【００４３】
通信機能を介して、プリンタ等の外部出力装置に情報を出力し（ステップ２０）、終了する。
【００４４】
（第１の参考形態）
図７に第１の参考形態に係る体脂肪計と体重計を示す。
【００４５】
上述の基本形態と同様の構成については同様の符号を用いて説明を省略する。
【００４６】
本参考形態では体重計６０に身長計測手段としてのデジタルメジャー部６１を設け、体重とともに身長も計測できるようになっている。
【００４７】
図８は体重計６０のデジタルメジャー部６１関連部分の構成を示すブロック図である。他の構成は基本形態と同様である。
【００４８】
デジタルメジャー部６１は、所定の軸に巻かれたメジャーテープ６２と軸の回転数又は
回転角度を検出するロータリーエンコーダ等のセンサ部（引出量検出手段）６３，センサ部の出力を電気信号に変換するトランスジューサ６４，トランスジューサから出力されるアナログ信号をデジタル信号に変換するＡ／Ｄ変換器６５からなり、ＣＰＵ４９によって制御される。
【００４９】
メジャーテープ６２の端部にはＵ字形の爪部６２ａが設けられている。通常は収納部（不図示）の軸に巻き取られているメジャーテープ（対照部材）６２を引き出し、体重計６０の被荷重部４３上に直立姿勢で載り、頭上に装置本体部２がほぼ水平となるように体脂肪計１を保持し、爪部６２ａをグリップ部７，８の絶縁部１９又は２０に引っかけて身長を計測する（図９参照）。
【００５０】
このようにして計測された身長値は所定のメモリエリアへ記憶され、図６に示される体重値の送信手順と同様にして体脂肪計１に送信される。
【００５１】
このようにすれば、体重及び身長を簡単に計測して体脂肪計に入力することにより、これらの数値を別途計測してキースイッチによって入力する手間が省ける。また、風呂場等で体重，身長を一回計測しておけば、携帯性の高い体脂肪計を手元において受信されたデータに基づいて種々の機会に体脂肪率等を計測することができる。
【００５２】
（第２の参考形態）
図１０に第２の参考形態に係る健康管理指針アドバイス装置としての体脂肪計を示す。
【００５３】
基本形態と同様の構成については同様の符号を用いて説明を省略する。
【００５４】
体脂肪計７１は壁面７９ａに固定された支持装置（支持手段）７３と支持装置７３に移動可能に支持されている本体装置（電極担持体）７２とからなる。支持装置７３は壁面７９ａに固定された基台部７４と基台部７４に対して壁面７９ａに平行に移動可能な支持腕７５とからなる。支持腕７５に支持された本体装置７２は、被検者が壁面７９ａに平行に移動させて、適当な位置で保持することができる。
【００５５】
図１１は本体装置７２の特徴部分の内部の回路構成の概略を示すブロック図である。
【００５６】
本体装置部の構成は基本形態とほぼ同様であるが、体重計との通信機能は有していない。図１１ではＣＰＵ３２周辺の構成は図２と同様であるので特徴部分を除いて省略している。本形態では、送信部ＴX ７７から送出された電波等の床面７９ｂからの反射波を受信部ＲX ７８にて受信して距離計測回路部７６において床面７９ｂと本体装置７２との距離を計測して本体装置７２を保持する腕の高さを検出する。送信部ＴX ７７，受信部ＲX ７８は本体装置７２の下部に配置されている。腕の高さがすでに入力されていれば、今回の腕の高さと比較して相違する場合には、正しい姿勢をとるように報知するものである。被検者はこの情報に従って本体装置７２を移動させることにより毎回一定の姿勢で計測を行うことができる。本形態では距離計測回路部７６，送信部ＴX ７７及び受信部ＲX ７８から位置検出手段が構成される。
【００５７】
図１２のフローチャートに従って処理手順を説明する。
【００５８】
まず、電源スイッチ１３をＯＮにする（ステップ３０）。
【００５９】
次に、個人番号，性別，年令，身長値，体重値を入力する（ステップ３１）。次に、個人番号に対応した「腕高さ」（Ｈｈ０）が記憶されているかを判定する（ステップ３２）。
【００６０】
個人番号に対応した「腕高さ」（Ｈｈ０）が記憶されていれば、本体装置７２の床面７９ｂからの高さＨｈ１を検出し（ステップ３３）、Ｈｈ１＝Ｈｈ０か否かを判定する（ステップ３４）。Ｈｈ１＝Ｈｈ０ならば、腕高さが前回計測時と同じであることを表示部９に表示する等して報知し（ステップ３５）、ステップ３６へ進む。Ｈｈ１≠Ｈｈ０ならば本体装置７２が前回位置と異なることを表示部９に表示する等して報知し（ステップ３７）、ステップ３６へ進む。
【００６１】
個人番号に対応した「腕高さ」（Ｈｈ０）が記憶されていない場合には、正しい計測姿勢をとるように表示部９に表示する等して報知し（ステップ３８）、正しい計測姿勢をとったかどうかを判定する（ステップ３９）。正しい計測姿勢をとっていない場合にはステップ３８に戻って再び報知を行う。正しい計測姿勢をとっている場合には、本体装置７２の床面７９ｂからの高さＨｈ１を検出し（ステップ４０）、ステップ３６へ進む。正しい計測姿勢をとったかどうかの判定は、表示部９に質問を表示し、被検者がスイッチ等を用いて回答するようにしてもよいが、これに限られない。
【００６２】
ステップ３６では計測を開始するか否かを判定するが、データ変更が必要であればステップ３１に戻ってデータを再入力する。計測を開始しない場合にはステップ３２に戻る。計測を開始する場合には、インピーダンスを計測し（ステップ４１）、体脂肪率％Ｆａｔ［％］及び体脂肪量ＢＦＭ［ｋｇ］を算出する（ステップ４２，４３）。
【００６３】
次に、Ｈｈ０＝Ｈｈ１として記憶し、データを更新する（ステップ４４）。
【００６４】
次に、体脂肪率％Ｆａｔ［％］及び体脂肪量ＢＦＭ［ｋｇ］を表示部９に表示又は外部のプリンタ等に出力して（ステップ４５）、終了する。
【００６５】
このようにすれば、毎回一定の計測姿勢で計測を行うことができ、計測精度の向上を図れるとともにデータの経時的変化を追跡する場合にも信頼性の高い情報を得ることができる。腕を上げ続ける疲労も軽減される。
【００６６】
（第３の参考形態）
図１３に第３の参考形態に係る健康管理指針アドバイス装置としての体脂肪計を示す。
【００６７】
基本形態及び第２の参考形態と同様の構成については同様の符号を用いて説明を省略する。
【００６８】
体脂肪計８１は壁面７９ａに固定された支持装置（支持手段）８３と支持装置８３に移動可能に支持されている本体装置（電極担持体）８２とからなる。支持装置８３は壁面７９ａに固定された基台部８４と基台部８４に対して壁面７９ａに平行に移動可能な支持腕８５とからなる。支持腕８５に支持された本体装置８２は、被検者が壁面７９ａに平行に移動させて、適当な位置で保持することができるが、基台部８４と本体装置８２との位置関係から被検者の計測姿勢時の腕高さを検出し、既に腕高さの個人データがメモリされており、今回の腕高さと異なる場合には、本体装置８２を前回の計測姿勢時の位置へと自動的に移動させるものである。
【００６９】
図１４は本体装置８２の関連部分及び支持装置８３の内部の回路構成の概略を示すブロック図である。
【００７０】
本体装置８２は第２の参考形態に係る本体装置８２のうち送信部ＴX ７７，受信部ＲX ７８及び距離計測回路７６が省略されている。本体装置の構成は体重計との通信機能を有
しない点を除いて図２の基本形態と同様であるので、詳細な構成は省略している。
【００７１】
本体装置８２を支持する支持腕８５にはラック８９が設けられている。基台部８４にはラック８９に噛合するピニオン９０が設けられ、ピニオン９０は本体装置８２のＣＰＵ３２に制御されるモータ駆動回路９２によって駆動されるモータ９１によって回転し、本体装置８２を移動させる。また、モータ９１の駆動軸に取り付けたロータリーエンコーダ等で回転数を検出するセンサ部（位置検出手段）９３，センサ部の出力を電気信号に変換するトランスジューサ９４，トランスジューサから出力されるアナログ信号をデジタル信号に変換するＡ／Ｄ変換器９５も設けられている。ＣＰＵ３２は、この回転数情報からラックの移動量を介して本体装置の位置を検出する。本形態では、ＣＰＵ３２，ラック８９，ピニオン９０，モータ９１，モータ駆動回路９２によって制御手段が構成される。図１５のフローチャートに従って処理手順を説明する。
【００７２】
まず、電源スイッチ１３をＯＮにする（ステップ５０）。
【００７３】
次に、個人番号，性別，年令，身長値，体重値を入力する（ステップ５１）。次に、個人番号に対応した「腕高さ」（Ｈｈ０）が記憶されているかを判定する（ステップ５２）。
【００７４】
個人番号に対応した「腕高さ」（Ｈｈ０）が記憶されていれば、本体装置８２の床面７９ｂからの高さＨｈ１を検出し（ステップ５３）、Ｈｈ１＝Ｈｈ０か否かを判定する（ステップ５４）。Ｈｈ１＝Ｈｈ０ならば、腕高さが前回計測時と同じであることを表示部９に表示する等して報知し（ステップ５５）、ステップ５６へ進む。Ｈｈ１≠Ｈｈ０ならば、モータ９１を駆動して本体装置８２を前回位置へと自動的に移動させ（ステップ５７）、ステップ５６へ進む。
【００７５】
個人番号に対応した「腕高さ」（Ｈｈ０）が記憶されていない場合には、正しい計測姿勢をとるように表示部９に表示する等して報知し（ステップ５８）、正しい計測姿勢をとったかどうかを判定する（ステップ５９）。正しい計測姿勢をとっていない場合にはステップ５８に戻って再び報知を行う。正しい計測姿勢をとっている場合には、本体装置８２の床面７９ｂからの高さＨｈ１を検出し（ステップ６０）、ステップ５６へ進む。正しい計測姿勢をとったかどうかの判定は、表示部９に質問を表示し、被検者がスイッチ等を用いて回答するようにしてもよいが、これに限られない。
【００７６】
ステップ５６では計測を開始するか否かを判定するが、データ変更が必要であればステップ５１に戻ってデータを再入力する。計測を開始しない場合にはステップ５２に戻る。計測を開始する場合には、インピーダンスを計測し（ステップ６１）、体脂肪率％Ｆａｔ［％］及び体脂肪量ＢＦＭ［ｋｇ］を算出する（ステップ６２，６３）。
【００７７】
次に、Ｈｈ０＝Ｈｈ１として記憶し、データを更新する（ステップ６４）。
【００７８】
次に、体脂肪率％Ｆａｔ［％］及び体脂肪量ＢＦＭ［ｋｇ］を表示部に表示又は外部のプリンタ等に出力して（ステップ６５）、終了する。
【００７９】
このようにすれば、毎回一定の計測姿勢で計測を行うことができ、計測精度の向上を図れるとともにデータの経時的変化を追跡する場合にも信頼性の高い情報を得ることができる。腕を上げ続ける疲労も軽減される。
【００８０】
本形態では、基台部に対する本体装置の位置関係から、腕高さを検出しているが、第２の参考形態と同様の距離計測方法で腕高さを検出し、本体装置を自動的に移動させるよう
にしてもよい。
【００８１】
（第４の参考形態）
図１６に第４の参考形態に係る健康管理指針アドバイス装置としての体脂肪計及び体重計を示す。
【００８２】
基本形態及び第３の参考形態と同様の構成については、同様の符号を用いて説明を省略する。
【００８３】
図１７は体脂肪計１０１の本体装置（電極担持体）１０２の特徴部分及び支持装置（支持手段）１０３の内部の概略構成を示すブロック図である。
【００８４】
本体装置の構成は通信制御回路部３５とともに距離計測回路部７６を備える点を除いて基本形態に係る体脂肪計１とほぼ同様である。支持装置１０３の構成はセンサ部等の腕高さ検出のための構成が省略されている点を除いて、第３の参考形態と同様である。体重計４１の構成については基本形態と同様であるので詳細は省略する。
【００８５】
本形態では、体重計４１との間でデータの送受信を行う送信部ＴX ３３及び受信部ＲX ３４を用いて本体装置１０２と体重計４１との距離を計測し、本体装置１０２の位置すなわち腕高さを検出するものである。送信部ＴX ３３及び受信部ＲX３４は本体下部に配置
されている。本形態では通信制御回路部３５，送信部ＴX ３３及び受信部ＲX３４が無線
通信手段を構成し、距離計測回路部７６，送信部ＴX ３３及び受信部ＲX ３４が位置検出手段を構成する。
【００８６】
本形態における計測手順は、第３の参考形態の体脂肪率％Ｆａｔ［％］及び体脂肪量ＢＦＭ［ｋｇ］を算出手順（ステップ６２，６３）を、基本形態のステップ１０〜１７における体重計との送受信を含む算出手順に置き換えたものとなる。
【００８７】
このようにすれば、体重値の入力の手間が省け、さらに毎回一定の計測姿勢で計測を行うことができ、計測精度の向上を図れるとともにデータの経時的変化を追跡する場合にも信頼性の高い情報を得ることができる。腕を上げ続ける疲労も軽減される。
【００８８】
（第５の参考形態）
図１８に第５の参考形態に係る健康管理指針アドバイス装置としての体脂肪計及び体重計を示す。
【００８９】
基本形態及び第３の参考形態と同様の構成については同様の符号を用いて説明を省略する。
【００９０】
体重計（体重計測手段，被荷重部担持体）１１１の内部構成は図３に示す基本形態と同様であり、本体装置１１０と体重計１１１との間で送受信を行う。本形態では、本体装置（電極担持体）１１０は体重計１１１に一体に立設された基部としての支柱１１２に沿って移動可能に設けられた可動支持部である支持腕１１３に支持されており、本体装置１１０の位置すなわち腕高さを支柱上の支持腕１１３の位置によって検出して、被荷重部１１１ａに載った被検者は適切な位置へと移動させて計測を行う。
【００９１】
図１９は、本体装置の特徴部分と支持腕の概略構成を示すブロック図である。本体装置の構成は特徴部分を除いて図２に示す基本形態と同様であるので詳細は省略する。
【００９２】
フォトインタラプタ等の位置センサを備えたセンサ部（位置検出手段）１１４、センサ
部１１４の出力を電気信号に変換するトランスジューサ１１５，トランスジューサ１１５から出力されるアナログ信号をデジタル信号に変換するＡ／Ｄ変換器１１６が設けられており、支柱上１１２の支持腕１１３の位置を検出することによって、腕高さを検出する。
【００９３】
また、支柱上１１２に目盛りを設けて、支持腕１１３の位置を調整してもよいし、第４の参考形態のように本体装置の通信手段を位置検出として用いて、腕高さを検出するようにしてもよい。
【００９４】
このようにすれば、体重値の入力の手間が省け、さらに毎回一定の計測姿勢で計測を行うことができ、計測精度の向上を図れるとともにデータの経時的変化を追跡する場合にも信頼性の高い情報を得ることができる。腕を上げ続ける疲労も軽減される。
【００９５】
また、本体装置が体重計と一体に設けられ、壁面等の本体装置の設置箇所の無い場所へも設置することができ、設置場所の自由度が大きくなる。
【００９６】
（第６の参考形態）
図２０に第６の参考形態に係る健康管理指針アドバイス装置としての体脂肪計及び体重計を示す。
【００９７】
第５の参考形態と同様の構成については同様の符号を用いて説明を省略する。本形態においても体脂肪計の本体装置１１０は体重計１１１に一体に立設された基部としての支柱１１７に沿って移動可能に設けられた可動支持部である支持腕１１３に支持されている。支柱の上部は被検者が腕を突き出す方向に傾斜した傾斜部１１７ａをなし、体重計１１１の被荷重部１１８の所定部位に載った被検者の身長が高いほど、直立した身体から本体装置までの距離が遠くなるようになっている。一般に身長が高いほど腕も長いので、体型により適した計測姿勢をとることができる。
【００９８】
（第１の実施形態）
図２１に第１の実施形態に係る健康管理指針アドバイス装置としての体脂肪計及び体重計を示す。
【００９９】
本形態に係る体脂肪計（電極担持体）１及び体重計（被荷重部担持体）１２１の構成については、体重計１２１に体脂肪計１の収納手段としての収納部１２２を設けた点を除いて基本形態とほぼ同様である。基本形態と同様の構成については同様の符号を用いて説明を省略する。
【０１００】
体重計測時あるいは体脂肪計１の不使用時には、体脂肪計１を体重計１２１の収納部１２２に収納できるようになっており、収納性が向上する。収納部１２２への収納時には体脂肪計１の表示部９が露出して上面から読み取れるようになっており、体重計１２の表示部４４と体脂肪計１の表示部９が一覧できる。例えば、体脂肪計１の表示部９に理想体重等の情報を表示しておき、体重計測を行うことができる。このように体脂肪計１の情報と体重計１２１の情報とを比較，対照する等して計測結果や健康管理指針情報のより有効な活用が可能となる。
【０１０１】
（第２の実施形態）
図２２に第２の実施形態に係る健康管理指針アドバイス装置としての体脂肪計及び体重計を示す。
【０１０２】
体脂肪計１３１及び体重計１３２の構成は基本形態とほぼ同様である。基本形態と同様の構成については同様の符号を用いて説明を省略する。
【０１０３】
体脂肪計（電極担持体）１３１は、略円柱状であり、中央部に表示部９及び図示しないＵＰボタン，ＤＯＷＮボタン，設定スイッチ，電源スイッチ，計測スイッチが設けられている。また、表示部９に対して左右対称に配置された保持部であるグリップ部１３１ａ及び１３１ｂには中央側に電流印加用電極１５，１６，外側に電圧計測用電極１７，１８がそれぞれ周方向に帯状に形成されている。中央部の下面には通信部２１が設けられている。
【０１０４】
体重計（被荷重部担持体）１３２には図示しない操作部が設けられている。体重計１３２側の表示部は省略されており、体重の表示は体脂肪計１３１の表示部９によって行う。図２２（ｂ）に示すように体重計の被荷重部４３の前縁部に断面円弧状の凹面をなす収納部（収納手段）１３３が設けられており、図２２（ａ）に示すように略円柱状の体脂肪計１３１を凹面に沿って収納することができる。収納部１３３の縁部に通信部４５が設けられている。
【０１０５】
体脂肪計１３１及び体重計１３２の内部構成については、体重計１３２に表示部が設けられていない点を除いて基本形態と同様であるので説明を省略する。
【０１０６】
図２２（ａ）は体脂肪計１３１を体重計１３２に収納した状態を示し、図２２（ｂ）は体脂肪計１３１を体重計１３２から取りはずして、インピーダンス計測又はデータ伝送を行う状態を示す。
【０１０７】
インピーダンスを計測する場合には、図２３に示すように、体脂肪計１３１の電流印加用電極１５，１６及び電圧計測用電極１，１８を両手で握って、体脂肪計が水平となるように両腕を伸ばして身体前方の肩の高さに保持する。データを伝送する場合には、体脂肪計１３１の通信部２１と体重計１３２の通信部４５を対向させる。
【０１０８】
計測手順についても基本形態と同様であるので説明を省略する。
【０１０９】
このようにすれば、収納性が向上し、体重値を別途計測してキースイッチ等により手動入力する手間が省け、操作が簡略化できる。また、体脂肪計のみを分離して携帯できるので、携帯性が向上し、場所を選ばず、手近に置いて手軽に計測して、健康管理指針情報を入手することができる。
【０１１０】
（第３の実施形態）
図２４に第３の実施形態に係る健康管理指針アドバイス装置としての体脂肪計及び体重計を示す。基本形態及び第２の実施形態と同様の構成については同様の符号を用いて説明を省略する。
いて説明を省略する。
【０１１１】
体重計（被荷重部担持体）１４２の収納部（収納手段）１４３の凹面上の電流印加用電極１５，１６及び電圧計測用電極１７，１８に対応する位置にそれぞれ接触部としての接点部１４４，１４５，１４６，１４７が設けられている。体重計１４２の接点部１４４〜１４７と体脂肪計（電極担持体）１４１の電流印加用電極１５，１６及び電圧計測用電極１７，１８を通じて体重計１４２の計測データを伝送する。
【０１１２】
図２５は体脂肪計１４２の主要部の内部の回路構成の概略を示すブロック図である。
【０１１３】
ＣＰＵ１４８のＰＵＬＳＥ  ポート１４８ａはローパスフィルタ（ＬＰＦ）１４９を介してオペアンプ１５０の非反転入力端子に接続されている。ＣＰＵ１４８のＴX ポート１
４８ｂもオペアンプ１５０の非反転入力端子に接続されている。オペアンプ１５０の反転入力端子には電流印加用電極１５が接続され、出力端子には電流印加用電極１６が接続されている。電圧計測用電極１７及び電圧計測用電極１８はそれぞれオペアンプ１５１の反転入力端子及び非反転入力端子に接続されている。オペアンプ１５１の出力端子は積分器（積分Ａ／Ｄ回路）１５２を介してＣＰＵ１４８のＰｏｒｔ−Ａポート１４８ｃに接続されている。また、オペアンプ１５１の出力端子は波形整形回路１５３を介してＣＰＵ１４８のＲX ポート１５４に接続されている。入力部，表示部等の構成は図２に示す基本形態と同様なので詳細は省略する。
【０１１４】
被検者がグリップ部１４１ａ及び１４１ｂを握り、電流印加用電極１５，１６によって高周波電流を印加し、電圧計測用電極１７，１８によって身体抵抗電位を検出することによりインピーダンスを計測し、体脂肪率及び体脂肪量等を算出する点は基本形態と同様である。計測姿勢は第２の実施形態に係る図２３と同様である。
【０１１５】
図２６は体脂肪計１４１を体重計１４２の収納部１４３に収納し、接点部を通して通信を行う場合の体重計１４２と体脂肪計１４１の主要部の内部構成を示すブロック図である。
【０１１６】
ＣＰＵ１５４のＴX2ポート１５４ａは波形整形回路１５５を介し、接点部１４６によって電圧計測用電極１７に接続されている。このとき電圧計測用電極１８は接点部１４７を通して接地されている。電流印加用電極１５は接点部１４４によって波形整形回路１５５を介してＣＰＵ１５４のＲＸ２ポート１５４ｂに接続される。電流印加用電極１６は接点部１４５を通して接地されるとともに抵抗１５７を介して波形整形回路１５６を通してＣＰＵ１５４のＲX2ポート１５４ｂに接続される。本形態では、電流印加用電極１５，１６，電圧計測用電極１７，１８，接点部１４４〜１４７，ＣＰＵ１４８及びＣＰＵ１５４が情報伝達手段を構成する。
【０１１７】
図２７は体脂肪計１４１・体重計１４２間の体重値計測データ通信を含む体脂肪計１４１の処理手順を示すフローチャートである。
【０１１８】
体脂肪計１４１の電源スイッチを入れると電流印加用電極１６を通じて計測用パルスを出力する（ステップＡ１）。
【０１１９】
次に、電圧計測用電極１７，１８によって検出される電圧に基づくインピーダンス算出用パルス幅を計測する（ステップＡ２）。この場合に、体重計１４２の電源が投入されて体重計測が完了していれば（ステップＢ１）、体重計１４２は接点部１４６を通じてＴX2ポート１５４ａから電圧計測用電極１７にｔｔ［ｓｅｃ  ］幅のパルスを出力する（ステップＢ２）ので、体脂肪計１４１ではこのパルスが計測されることとなる。
【０１２０】
体脂肪計側１４１では計測されたパルス幅がｔｔ［ｓｅｃ  ］か否かを判定する（ステップＡ３）。
【０１２１】
パルス幅がｔｔ［ｓｅｃ  ］でなければ、インピーダンス計測モードとなり、性別，身長，年令（体重）の身体特定化情報を設定する（ステップＡ４）。次に、体重値が設定済みかつ計測開始か否かを判定する（ステップＡ５）。Ｎｏであれば、ステップＡ１に戻り、Ｙｅｓであれば、パルス幅からインピーダンスを算出する（ステップＡ６）。次に、体脂肪率，体脂肪量を算出し（ステップＡ７）、表示部９に体脂肪率，体脂肪量を表示する（ステップＡ８）。
【０１２２】
ステップＡ３でパルス幅がｔｔ［ｓｅｃ  ］であれば、計測用パルスを停止し（ステッ
プＡ９）、識別コードをＴＸ  ポート１４８ａから電流印加用電極１６に出力する（ステップＡ１０）。
【０１２３】
体重計側１４２では、ステップＢ２でｔｔ［ｓｅｃ  ］幅のパルスを出力した後、接点部１４５を通じてＲX2ポート１５４ｂに電流印加用電極１６からの識別コードの入力があるか否かを判定する（ステップＢ３）。入力がなければステップＢ３を繰り返し、識別コードの入力を待つ。入力があれば、コード化された体重値を接点部１４６を通じて電圧計測用電極１７に出力する（ステップＢ４）。
【０１２４】
体脂肪計１４１側でステップＡ１０で識別コードを出力した後は、接点部を通じて電圧計測用電極１７からＲX ポート１４８ｄに入力があったか否かを判定する（ステップＡ１１）。入力がなければステップＡ１１を繰り返し、入力を待つ。入力があれば、入力データのコード解析を行い（ステップＡ１２）、体重値を表示部９に表示するとともに所定のメモリエリアに記憶し、ステップＡ１に戻る。
【０１２５】
このように通常のインピーダンス計測モードにおいては、電流印加用電極１６からは計測用の定電流正弦波が出力され、電圧計測用電極１７，１８は、その計測用定電流を印加したことにより発生した電圧を検出している。検出された電圧は、積分器を通して、パルス幅に変換され、ＣＰＵ１４８はそのパルス幅を計測することにより、電圧値をデジタル化している。
【０１２６】
ここで、体重計１４２から接点部１４６を通じて電圧計測用電極１７にコード化されたデータを印加することにより、通信用のセンサやコネクタを別途用意することなく体重計との通信が可能となり、装置を簡略化できる。
【０１２７】
電圧計測用電極からの入力が、伝送データであるのか、インピーダンス計測波形であるのかの判断は、ＴX2ポート１５４ａから一定時間（ｔｔ［ｓｅｃ  ］）だけ電圧計測用電極１７も所定の電圧を印加し、ＣＰＵ１４８が計測するパルス幅が規定の数値であった場合、ＣＰＵ１４８はデータ受信の準備を行い、引き続き送信されてくるコード化されたデータを認識することによって可能となる。通常のインピーダンス計測モードから通信モードへ移行する際の体脂肪計１４１側のＣＰＵ１４８のＰＵＬＳＥ  ポート１４８ａの出力と体重計１４２側のＴX2１５４ａポートの出力を時系列的に示したものが図２８である。
【０１２８】
このようにすれば、収納性が向上するとともに、体重値を別途計測してキースイッチ等で手動入力する必要がなく、操作が簡略化できる。また、体脂肪計は携帯性に優れるので、場所を選ばず、手近に置いて手軽に計測して、健康管理指針情報を入手することができる。
【０１２９】
（第７の参考形態）
図２９（ａ），（ｂ）に第７の参考形態に係る健康管理指針アドバイス装置としての体脂肪計を示す。
【０１３０】
基本形態と同様の構成については同様の符号を用いて説明を省略する。
【０１３１】
本形態では、底面２ｇの中央部に第１センサ１６２を設け、体脂肪計前面２ａの中央下端部に第２センサ１６３を設けている。第１センサ１６２によって、計測時の体脂肪計（電極担持体）６１と床面との距離を計測し、これから被検者の身長値を推定する。一方、第２センサ１６３によって体脂肪計―胸間の距離を計測し、第１センサによる身長の推定値を補正する。
【０１３２】
図３０は体脂肪計１６１の内部構成の概略を示すブロック図である。
【０１３３】
本形態では、第１センサ１６２を構成する第１送信部ＴX1１６２ａ及び第１受信部ＲX1１６２ｂ並びに第２センサ１６３を構成する第２送信部ＴX2１６３ａ及び第２受信部ＲX2１６３ｂとこれらが接続された距離計測回路部１６４が設けられ、送信部ＴX，受信部ＲX及び通信制御回路部３５が省略されている点で基本形態と異なっている。距離計測回路部１６４はＣＰＵ３２に接続され、計測結果等の情報をＣＰＵ３２側に送るとともにＣＰＵ３２からの信号に基づいて計測を行う。ここで、第１センサ１６２及び距離計測回路部１６４が距離計測手段、第２センサ１６３及び距離計測回路部１６４が第２の距離計測手段を構成する。
【０１３４】
距離計測回路部１６４の概略構成を図３１に示す。以下、第１送信部ＴX1１６２ａ及び第１受信部ＲX1１６２ｂ側についてのみ説明するが、第２送信部ＴX2１６３ａ及び第２受信部ＲX2１６３ｂについても同様である。本距離計測回路部１６４では、ＣＰＵ１６５からの信号に基づきパルス発生回路で形成されたパルスがドライバ１６７によって第１送信部ＴX1の送波器１６８から発信される。発信された超音波は床面で反射し、その反射波が第１受信部ＲX1の受波器１６９によって受信され、波形整形回路における波形整形処理を経てＣＰＵ１６５に送られる。発信された超音波が受信されるまでの時間を計測することにより体脂肪計から床面までの距離を算出することができる。距離計測方式としては、他に、近赤外線を用いることもできるが、これらに限られるものではない。
【０１３５】
図３２に計測処理手順を示す。
【０１３６】
まず、電源スイッチをＯＮする（ステップ７０）。
【０１３７】
次に、性別，年齢，体重を入力する（ステップ７１）。
次に、計測スイッチがＯＮか否かを判定する（ステップ７２）。ＮＯであれば判定を繰り返し、Ｙｅｓであれば、体脂肪計と床面との間の距離（Ｌｈ）の計測処理を行う（ステップ７３）。
【０１３８】
体脂肪計と床面との距離の計測値（Ｌｈ）を、所定の推定式Ｈ＝ａ＊Ｌｈ＋ｂ（ａ，ｂは定数）に代入して身長の推定値を算出する（ステップ７４）。
【０１３９】
次に、体脂肪計と被検者の胸との間の距離（Ｌa）（この距離は腕長でもある。）の計
測処理を行う（ステップ７５）。
【０１４０】
体脂肪計と胸との間の距離（Ｌa）を、所定の補正式Ｈ＝Ｈ＋ｃ＊Ｌａn＋ｄ（ｃ，ｄは定数、ｎは所定の整数）に代入することにより先に身長推定値を補正する（ステップ７６）。
【０１４１】
次に、インピーダンスの計測処理を行う（ステップ７７）。
【０１４２】
次に、インピーダンス計測値，性別等の入力された身体特定化情報及び身長の推定値を所定の推定式に代入する等して、体脂肪率（％Ｆａｔ），体脂肪量（ＢＦＭ）を算出する（ステップ７８）。
【０１４３】
次に、体脂肪率，体脂肪量等の演算結果及びこれらから得られる肥満度等のアドバイス結果を表示部に表示し（ステップ７９）、処理を終了する。
【０１４４】
上述の手順では省略しているが、図６のフローチャートに示すステップ４からステップ
８までの処理をステップのスタートスイッチ判定の後に行うようにしてもよい。
【０１４５】
このように身長をインピーダンス計測時の体脂肪計と床面との距離の計測値から推定することにより、身長の入力の手間を省くとともに不正確な身長データの入力を防止することができる。また、身長推定値を体脂肪計と被検者の胸との距離によって補正することにより、身長推定精度を高めることができる。尚、本形態における推定式及び補正式は上述の形のものに限られるものではなく、推定及び補正のためのテーブルを備え、これを用いるようにしてもよい。
【０１４６】
体脂肪計と床面及び／又は胸との距離を記憶させておき、インピーダンス計測時に記憶された距離データと比較して計測姿勢の判定を行うようにすることもできる。
【０１４７】
本形態におけるように、体脂肪計の底面に設けた第１センサを用いて距離を計測する場合には、第１センサの指向性が床面に直交することが望ましい。このため、同様のセンサを体脂肪計に対する相対角度が異なるように複数取り付け、その出力差を検出する等の方法により、第１センサの体脂肪計に対する角度を計測し、これを用いて第１センサによる計測値を補正するようにすれば、さらに高精度の計測が可能となる。
【０１４８】
（第８の参考形態）
図３３に第８の参考形態に係る健康管理指針アドバイス装置としての体脂肪計１８１を示す。
【０１４９】
基本形態と同様の構成については同様の符号を用いて説明を省略する。
【０１５０】
本参考形態では、体脂肪計１８１は可動部（電極担持体）１８２，台部１８３及びコード（ひも状部材）１８４からなる。可動部１８２は第７の参考形態に係る体脂肪計１６１と同様に前面２ａの中央下端部に腕長計測用のセンサを備えている。また、コード１８４は台部１８３の巻取部（収納部）１８５に設けられた所定のリールに巻き取られるように構成されている。台部１８３にはリールの回転数又は回転角度を検出するロータリーエンコーダを備えたセンサ部（引出量検出手段、移動量検出手段）１８６とセンサ部１８６の出力を電気信号に変換するトランスデューサ１８７，トランスデューサ１８７から出力されるアナログ信号をデジタル信号に変換するＡ／Ｄ変換器１８８を備えた第２距離計測回路部１８９とが設けられている。第２距離計測回路部で得られた距離情報はコード中のリード線によって電気的に接続されたＣＰＵ３２に送られる（図３４参照）。エンコーダとしては、ＬＥＤとフォトトランジスタ間の光路をリールに連動して断続するスリットを設け、リールの回転に応じたパルス数をフォトトランジスタから取得する光通過式エンコーダを用いることができる。このほかにも、白と黒等の光の反射率が大きく異なる色の縞模様に光を反射させ、その反射光量をパルスに変換する光反射式エンコーダや、回転角度に応じて機械的接点がオン・オフする機械接点式エンコーダ等を用いることができる。
【０１５１】
被検者がグリップ部７，８を握り、両腕をほぼ肩の高さで身体前方にまっすぐ伸ばした状態で保持したときには、コードリール１８４の巻取軸が巻き取り方向に付勢されており、コード１８４にはその張力が作用してたるみが生じないようになっている。
【０１５２】
本形態における計測処理手順は図３２に示す第７の参考形態のフローチャートと同様である。ステップの体脂肪計―床面間距離計測処理が、本形態では可動部１８２と台部１８３との間の距離計測処理であり、コード１８４の引き出し量から算出される。
【０１５３】
本形態では、体脂肪計の主要構成は可動部１８２に内蔵され、台部１８３には第２距離計測回路部１８９が設けられているが、電流印加用電極及び電圧計測用電極あるいはそれ
らと表示部とを可動部の主たる構成要素とし、ＣＰＵ等を含む主要構成要素を台部１８３側に設け、コード１８４中のケーブルで情報の伝送を行うようにしてもよい。また、コード１８４の巻取部を台部に設けているが、巻取部及び第２距離計測回路を可動部に設けてもよい。
【０１５４】
このように身長をインピーダンス計測時の可動部と台部との距離の計測値から推定することにより、身長の入力の手間を省くとともに不正確な身長データの入力を防止することができる。また、身長推定値を可動部と被検者の胸との距離によって補正することにより、身長推定精度を高めることができる。
【０１５５】
可動部と台部及び／又は胸との距離を記憶させておき、インピーダンス計測時に記憶された距離データと比較して計測姿勢の判定を行うようにすることもできる。
【０１５６】
本形態では、体脂肪計を構成する可動部と台部とをコードで連結しているが、図１８に示す第５の参考形態のように、可動部と台部とを支柱によって連結し、可動部の支柱に沿ったスライド量を光通過式エンコーダ、光反射式エンコーダあるいは機械接点式エンコーダを用いて計測するようにすることもできる。このようにすれば、可動部と台部との高さをより精度良く計測することができるので、身長値の推定精度も向上する。
【０１５７】
また、本形態における台部に体重計を備え、コードを介して体脂肪計と体重計間でデータ伝送を行い、身長と体重を自動計測するようにしてもよい。この場合に、体重計と体脂肪計の電源を１つにすれば、電池交換の手間を省くことができるとともに、省コスト、省スペースも実現できる。
【０１５８】
（第９の参考形態）
図３５に第９の参考形態に係る健康管理指針アドバイス装置としての体脂肪計１６１及び体重計４１を示す。
【０１５９】
本形態では、体脂肪計１６１が第７の参考形態と同様の構成を有し、体重計４１は基本形態と同様の構成を有する。第７の参考形態及び基本形態と同様の構成については同様の符号を用いて説明を省略する。
【０１６０】
本形態では、体脂肪計底面２ｇの中央部に第１センサ１６２を設け、前面２ａの中央下端部に第２センサ１６３を設けている。また、第１センサ１６２の第１送信部ＴX1及び第１受信部ＲX1を用いて体脂肪計―体重計間の距離計測を行うとともに体脂肪計―体重計間のデータ送受信をも行う。すなわち、図３６に示すように第１送信部ＴX1１６２ｂの送波器１６８から送出された超音波の体重計４１からの反射波を第１受信部ＲX1１６２ａの受波器１６９で受信することにより、体脂肪計―体重計間の距離計測を行う。これに加えて、第１送信部ＴX1の送波器１６８から体重計４１の受信部ＲX３４の受波器１９１に対し
て体重計測データの送出要求信号を送信し、この信号は波形整形回路１９２で整形されＣＰＵ１９３に送られる。ＣＰＵ１９３ではこの信号に従って体重計測データを所定のメモリから読み出し、このデータに基づいてパルス発生回路１９４で生成されたパルスがドライバ１９５によって送信部ＴXの送波器１９６から第１受信部ＲX1の受波器１６９に対し
て送信される。同様に、データ転送が終了すると転送終了メッセージを送信する。
【０１６１】
図３７に計測処理手順を示す。
【０１６２】
まず、電源スイッチをＯＮする（ステップ８０）。
【０１６３】
次に、性別，年齢を入力する（ステップ８１）。
次に、計測スイッチがＯＮか否かを判定する（ステップ８２）。ＮＯであれば判定を繰り返し、Ｙｅｓであれば、体脂肪計と床面との間の距離（Ｌｈ）の計測処理を行う（ステップ８３）。
【０１６４】
次に、体重データ受信処理を行う（ステップ８４）。ここでは、図６に示す基本形態のフローチャートにおけるステップ１０からステップ１４までの処理と同様の処理が行われる。
【０１６５】
体脂肪計と床面との距離の計測値（Ｌｈ）を、所定の推定式Ｈ＝ａ＊Ｌｈ＋ｂ（ａ，ｂは定数）に代入して身長の推定値を算出する（ステップ８５）。
【０１６６】
次に、体脂肪計と被検者の胸との間の距離（Ｌa）（この距離は腕長でもある。）の計
測処理を行う（ステップ８６）。
【０１６７】
次に、体脂肪計と胸との間の距離（Ｌa）を、所定の補正式Ｈ＝Ｈ＋ｃ＊Ｌａn＋ｄ（ｃ，ｄは定数、ｎは所定の整数）に代入することにより先に身長推定値を補正する（ステップ８７）。
【０１６８】
次に、インピーダンスの計測処理を行う（ステップ８８）。
【０１６９】
次に、インピーダンス計測値，性別等の入力された身体特定化情報及び身長の推定値を所定の推定式に代入する等して、体脂肪率（％Ｆａｔ），体脂肪量（ＢＦＭ）を算出する（ステップ８９）。
【０１７０】
次に、体脂肪率，体脂肪量等の演算結果及びこれらから得られる肥満度等のアドバイス結果を表示部に表示し（ステップ９０）、処理を終了する。
【０１７１】
上述の手順では省略しているが、図６のフローチャートに示すステップ４からステップ８までの処理をステップのスタートスイッチ判定の後に行うようにしてもよい。
【０１７２】
このように身長をインピーダンス計測時の体脂肪計と体重計との距離の計測値から推定するとともに体重計測データを体重計から取得することにより、身長及び体重の入力の手間を省くとともに不正確な身長及び体重データの入力を防止することができる。また、身長推定値を体脂肪計と被検者の胸との距離によって補正することにより、身長推定精度を高めることができる。また、体脂肪計―体重計間の距離計測手段が体脂肪計―体重計間の通信手段を兼ねることにより、省コスト、省スペースが可能となる。尚、本形態における推定式及び補正式は上述の形のものに限られるものではなく、推定及び補正のためのテーブルを備え、これを用いるようにしてもよい。
【０１７３】
体脂肪計と床面及び／又は胸との距離を記憶させておき、インピーダンス計測時に記憶された距離データと比較して計測姿勢の判定を行うようにすることもできる。
【図面の簡単な説明】
【０１７４】
【図１】図１は本発明の基本形態に係る健康管理指針アドバイス装置の全体構成を示す斜視図である。
【図２】図２は本発明の基本形態に係る体脂肪計の内部の回路構成の概略を示すブロック図である。
【図３】図３は本発明の基本形態に係る体重計の内部の回路構成の概略を示すブロック図である。
【図４】図４は本発明の基本形態に係る健康管理指針アドバイス装置の使用状態を示す図である。
【図５】図５は本発明の基本形態に係る健康管理指針アドバイス装置によるインピーダンス計測時の計測姿勢を示す図である。
【図６】図６は本発明の基本形態に係る体脂肪計における処理手順を示すフローチャートである。
【図７】図７は第１の参考形態に係る健康管理指針アドバイス装置の使用状態を示す図である。
【図８】図８は第１の参考形態に係る体重計のデジタルメジャー部関連部分の回路構成を示すブロック図である。
【図９】図９は第１の参考形態に係る体重計のデジタルメジャー部の使用方法を説明する図である。
【図１０】図１０は第２の参考形態に係る健康管理指針アドバイス装置の使用状態を示す図である。
【図１１】図１１は第２の参考形態に係る体脂肪計の特徴部分の内部構成を示すブロック図である。
【図１２】図１２は第２の参考形態に係る体脂肪計における処理手順を示すフローチャートである。
【図１３】図１３は第３の参考形態に係る健康管理指針アドバイス装置の使用状態を示す図である。
【図１４】図１４は第３の参考形態に係る体脂肪計の本体装置の関連部分及び支持装置の内部の概略構成を示すブロック図である。
【図１５】図１５は第３の参考形態に係る体脂肪計における処理手順を示すフローチャートである。
【図１６】図１６は第４の参考形態に係る健康管理指針アドバイス装置の使用状態を示す図である。
【図１７】図１７は第５の参考形態に係る体脂肪計の本体装置の特徴部分及び支持装置の内部の概略構成を示すブロック図である。
【図１８】図１８は第５の参考形態に係る健康管理指針アドバイス装置の使用状態を示す図である。
【図１９】図１９は第５の参考形態に係る体脂肪計の本体装置の特徴部分と支持腕の概略構成を示すブロック図である。
【図２０】図２０は第６の参考形態に係る健康管理指針アドバイス装置の使用状態を示す図である。
【図２１】図２１は第１の実施形態に係る健康管理指針アドバイス装置の全体構成を示す斜視図である。
【図２２】図２２は第２の実施形態に係る健康管理指針アドバイス装置の全体構成を示す斜視図である。
【図２３】図２３は第２の実施形態に係る健康管理指針アドバイス装置の使用状態を示す図である。
【図２４】図２４は第３の実施形態に係る健康管理指針アドバイス装置を示す図である。
【図２５】図２５は第３の実施形態に係る体脂肪計の内部の回路構成の概略を示すブロック図である。
【図２６】図２６は第３の実施形態に係る体脂肪計及び体重計の内部の回路構成の概略を示すブロック図である。
【図２７】図２７は第３の実施形態に係る体脂肪計及び体重計における処理手順を示すフローチャートである。
【図２８】図２８はインピーダンス計測モードから通信モードへの移行時のＣＰＵの出力の変化を示す図である。
【図２９】図２９（ａ）は第７の参考形態に係る体脂肪計を示す斜視図、図２９（ｂ）は同底面図である。
【図３０】図３０は第７の参考形態に係る体脂肪計の内部構成の概略を示すブロック図である。
【図３１】図３１は第７の参考形態に係る体脂肪計の距離計測回路部の概略構成を示すブロック図である。
【図３２】図３２は第７の参考形態に係る体脂肪計における計測処理手順を示すフローチャートである。
【図３３】図３３は第８の参考形態に係る体脂肪計の使用状態を示す図である。
【図３４】図３４は第８の参考形態に係る体脂肪計の距離計測回路部の概略構成を示すブロック図である。
【図３５】図３５は第９の参考形態に係る健康管理指針アドバイス装置を示す図である。
【図３６】図３６は第９の参考形態に係る健康管理指針アドバイス装置の距離計測及び通信関連部分の構成を示すブロック図である。
【図３７】図３７は第９の参考形態に係る健康管理指針アドバイス装置の計測処理手順を示す図である。
【図３８】図３８は従来例に係る体重計一体型の体脂肪計を示す図である。
【図３９】図３９は従来例に係るグリップ部を握って計測する体脂肪計を示す図である。
【符号の説明】
【０１７５】
１，７１，８１，１０１，１３１，１４１，１６１，１８１  体脂肪計
７，８，１３１ａ，１３１ｂ，１４１ａ，１４１ｂ  グリップ部
１５，１６  電流印加用電極
１７，１８  電圧計測用電極
２１，４５  通信部
３２，４９，１４８，１５４  ＣＰＵ
３３，５０，７７  送信部ＴＸ
３４，５１，７８  受信部ＲＸ
３５，５２  通信制御回路部
４１，６０，１１１，１２１  体重計
４３，１１１ａ，１１８  被荷重部
６１  デジタルメジャー部
６２  メジャーテープ
６３，９３，１１４  センサ部
７２，８２，１０２，１１０  本体装置
７３，８３，１０３  支持装置
７５，８５，１０５，１１３  支持腕
７６  距離計測回路部
８９  ラック
９０  ピニオン
９１  モータ
９２  モータ駆動回路
１１２，１１７  支柱
１１７ａ  傾斜部
１２２，１３３，１４３  収納部
１４４，１４５，１４６，１４７  接点部
１６２  第１センサ
１６３  第２センサ
ＲX1  第１受信部
ＴX1  第１送信部
ＲX2  第２受信部
ＴX2  第２送信部
１６４  距離計測回路部
１８２  可動部
１８４  コード
１８５  巻取部
１８９  第２距離計測回路部
【図１】
2006198419.tif 000003
【図２】
2006198419.tif 000004
【図３】
2006198419.tif 000005
【図４】
2006198419.tif 000006
【図５】
2006198419.tif 000007
【図６】
2006198419.tif 000008
【図７】
2006198419.tif 000009
【図８】
2006198419.tif 000010
【図９】
2006198419.tif 000011
【図１０】
2006198419.tif 000012
【図１１】
2006198419.tif 000013
【図１２】
2006198419.tif 000014
【図１３】
2006198419.tif 000015
【図１４】
2006198419.tif 000016
【図１５】
2006198419.tif 000017
【図１６】
2006198419.tif 000018
【図１７】
2006198419.tif 000019
【図１８】
2006198419.tif 000020
【図１９】
2006198419.tif 000021
【図２０】
2006198419.tif 000022
【図２１】
2006198419.tif 000023
【図２２】
2006198419.tif 000024
【図２３】
2006198419.tif 000025
【図２４】
2006198419.tif 000026
【図２５】
2006198419.tif 000027
【図２６】
2006198419.tif 000028
【図２７】
2006198419.tif 000029
【図２８】
2006198419.tif 000030
【図２９】
2006198419.tif 000031
【図３０】
2006198419.tif 000032
【図３１】
2006198419.tif 000033
【図３２】
2006198419.tif 000034
【図３３】
2006198419.tif 000035
【図３４】
2006198419.tif 000036
【図３５】
2006198419.tif 000037
【図３６】
2006198419.tif 000038
【図３７】
2006198419.tif 000039
【図３８】
2006198419.tif 000040
【図３９】
2006198419.tif 000041